(57)【要約】      （修正有）【課題】ＨＤＤの取付強度を低下させることなく、ゴム変形量を規定することでＨＤＤの外部からの振動による共振防止を図る。【解決手段】ＨＤＤ用トレイは、略コ字状に形成され、ＨＤＤのねじ孔３ｂに連通する貫通孔５ａが形成された一対の側面部５を備えている。この各側面部５は、内面の略全体に固着された内側の防振ゴム９と、貫通孔５ａの外面側の周囲に固着された外側の防振ゴム１０と、各貫通孔５ａ内に装着された円筒状のスペーサ１３とを備えている。このスペーサ１３内に固定ねじ１２の軸部１２ｂが挿通され、頭部１２ａによる防振ゴム９，１０の変形量をスペーサ１３で規制する。【選択図】図３
2020042883.tif 000002
【特許請求の範囲】
【請求項１】
ハードディスクドライブ装置（以下、ＨＤＤとする。）と、
前記ＨＤＤが固定されるトレイと、を備えたＨＤＤの防振構造であって、
前記ＨＤＤの両側面には前記トレイへの固定用のねじ孔が形成されている一方、
前記トレイは、略コ字状に形成され、前記ねじ孔に連通する貫通孔が形成された一対の側面部を備え、
前記各側面部は、内面に固着された内側の防振ゴムと、前記各貫通孔の外面側の周囲に固着された外側の防振ゴムと、前記各貫通孔内に装着された円筒状のスペーサと、を備え、
前記ねじ孔に固定ねじの軸部を締結する際に前記軸部を前記スペーサ内に着脱自在に挿通し、
前記スペーサにより前記固定ねじの頭部による前記両防振ゴムの変形量を規定することを特徴とする防振構造。
【請求項２】
前記各側面部の外面は、前記ねじ孔の周囲に溝部が形成され、
前記溝部の溝底に前記貫通孔が形成され、
前記溝部内に前記外側の防振ゴムが固着され、
前記外側の防振ゴムは、前記貫通孔に連通する孔部が形成され、
前記スペーサが、前記貫通孔および前記両孔部内に装着されることを特徴とする請求項１記載の防振構造。
【請求項３】
前記内側の防振ゴムは、前記側面部の内面の略全面に固着され、
前記貫通孔に連通する孔部が形成され、
前記スペーサが、前記貫通孔および前記孔部内に装着されることを特徴とする請求項１または２記載の防振構造。
【請求項４】
前記ＨＤＤのコネクタ上部の略全体に固着されたコネクタ上部防振ゴムをさらに備える
ことを特徴とする請求項１〜３のいずれかに記載の防振構造。
【請求項５】
前記ＨＤＤの平面において、開口の必要な部分を除き略全体に固着された平面防振ゴムと、
前記ＨＤＤの底面において、開口の必要な部分を除き略全体に固着された底面防振ゴムと、
前記ＨＤＤの前面の略全体に固着された前面防振ゴムと、
をさらに備えることを特徴とする請求項４記載の防振構造。
【発明の詳細な説明】
【技術分野】
【０００１】
本発明は、ハードディスクドライブ装置（以下、ＨＤＤとする。）の防振構造に関する。
【背景技術】
【０００２】
図６に基づき特許文献１の防振構造を説明する。図６中の８は、ＨＤＤユニットを示している。このＨＤＤユニット８は、この防振構造を採用するＨＤＤユニット８は、ディスク・ヘッド・駆動装置などが収納されたＨＤＤ本体８１と、ＨＤＤ本体８１の下面部にねじ止めされた金属板状の重り８２と、ＨＤＤ本体８１が取り付けられる断面コ字状の固定部８３とを備えている。
【０００３】
このＨＤＤ本体８１の固定部８３への取り付けには、防振ゴム８４ａ〜８４ｄが用いられている。すなわち、固定部８３は、一対の板状部材８３１，８３２を備え、各板状部材８３１，８３２に取付孔８３２ａ，８３２ｂが形成されている。
【０００４】
この各板状部材８３１，８３２の取付孔８３２ａ，８３２ｂには、それぞれ防振ゴム８４ａ〜８４ｄが挿入され、接着などの手段で固定され、さらに防振ゴム８４ａ〜８４ｄの先端部にＨＤＤ本体８１が固定されている。
【先行技術文献】
【特許文献】
【０００５】
【特許文献１】特開平７−１０６７７５
【発明の概要】
【発明が解決しようとする課題】
【０００６】
特許文献１は、防振ゴム８４ａ〜８４ｄと重り８２とを用いることで外部からの振動やＨＤＤ本体８１の発生する振動を抑制している。
【０００７】
しかしながら、防振ゴム８４ａ〜８４ｄでＨＤＤ本体８１を各板状部材９８３１，８３２に取り付けているため、ＨＤＤ本体８１の取付強度が低下し、衝撃や振動が続いた場合などにＨＤＤ本体８１が固定部８３から外れるおそれがある。
【０００８】
また、防振ゴム８４ａ〜８４ｄは一定の弾性変形により防振効果を発揮するものの、ゴムの変形量を規定する構造が提案されていないため、ＨＤＤ本体８１の外部からの振動による共振防止として不十分となるおそれもある。
【０００９】
本発明は、このような従来の問題を解決するためになされ、ＨＤＤの取付強度を低下させることなく、ゴム変形量を規定することでＨＤＤの外部からの振動による共振防止を図ることを解決課題としている。
【課題を解決するための手段】
【００１０】
（１）本発明は、ＨＤＤとＨＤＤが固定されるトレイと、を備えたＨＤＤの防振構造であって、
前記ＨＤＤの両側面には前記トレイへの固定用のねじ孔が形成されている一方、
前記トレイは、略コ字状に形成され、前記ねじ孔に連通する貫通孔が形成された一対の側面部を備え、
前記各側面部は、内面に固着された内側の防振ゴムと、前記各貫通孔の外面側の周囲に固着された外側の防振ゴムと、前記各貫通孔内に装着された円筒状のスペーサと、を備え、
前記ねじ孔に固定ねじの軸部を締結する際に前記軸部を前記スペーサ内に着脱自在に挿通し、
前記スペーサにより前記固定ねじの頭部による前記両防振ゴムの変形量を規定することを特徴としている。
【００１１】
（２）本発明の一態様において、
前記各側面部の外面は、前記ねじ孔の周囲に溝部が形成され、
前記溝部の溝底に前記貫通孔が形成され、
前記溝部内に前記外側の防振ゴムが固着され、
前記外側の防振ゴムは、前記貫通孔に連通する孔部が形成され、
前記スペーサが、前記貫通孔および前記両孔部内に装着されることを特徴としている。
【００１２】
（３）本発明の他の態様において、
前記内側の防振ゴムは、前記側面部の内面の略全面に固着され、
前記貫通孔に連通する孔部が形成され、
前記スペーサが、前記貫通孔および前記孔部内に装着されることを特徴としている。
【００１３】
（４）本発明のさらに他の態様は、
前記ＨＤＤのコネクタ上部の略全体に固着されたコネクタ上部防振ゴムをさらに備えることを特徴としている。
【００１４】
（５）本発明のさらに他の態様は、
前記ＨＤＤの平面において、開口の必要な部分を除き略全体に固着された平面防振ゴムと、
前記ＨＤＤの底面において、開口の必要な部分を除き略全体に固着された底面防振ゴムと、
前記ＨＤＤの前面の略全体に固着された前面防振ゴムと、をさらに備えることを特徴としている。
【発明の効果】
【００１５】
本発明によれば、ＨＤＤの取付強度を低下させることなく、外部からの振動による共振を防止することができる。
【図面の簡単な説明】
【００１６】
【図１】電子機器の筺体正面からＨＤＤを交換する状態を示す斜視図。
【図２】実施例１のＨＤＤユニットを示す分解斜視図。
【図３】同  ねじ締結部分の断面図。
【図４】実施例２のＨＤＤユニットを示す分解斜視図。
【図５】同  前面図。
【図６】特許文献１のＨＤＤユニットの分解斜視図。
【発明を実施するための形態】
【００１７】
以下、本発明の実施形態に係るＨＤＤの防振構造を説明する。このＨＤＤの防振構造は、図１に示すＨＤＤユニット１により構成されている。このＨＤＤユニット１は、矢印Ｐに示すように、産業用コントローラなどの電子機器の筺体２に形成されたドライブベイに着脱自在に取り付けられ、交換可能となっている。
【００１８】
≪実施例１≫
図２および図３に基づきＨＤＤユニット１の実施例１を説明する。このＨＤＤユニットは、図２に示すように、前記電子機器の補助記憶装置としてのＨＤＤ３と、ＨＤＤ３を筺体２に取り付けるためのＨＤＤ用トレイ４とを備えている。このＨＤＤ３は、矢印Ｑに示すように、前記トレイ４内に収容されて固定され、また両側面３ａに一対のねじ孔３ｂが形成されている。
【００１９】
一方、前記トレイ４は、略コ字状に形成され、左右一対の側面部５と、両側面部５の一端部間を連結する連結部６と、両側面部５の中央より他端部側に取り付けられてＨＤＤ３の底面を保持する保持板７とを備え、各側面部５にはねじ孔３ｂに連通する一対の貫通孔５ａが形成されている。
【００２０】
この各側面部５の内面には、内側防振ゴム９が接着などの手段により固着されている。この各内側防振ゴム９は、図３に示すように、前記各孔３ｂ，５ａに連通する孔部９ａが形成され、それぞれ側面部５の内面の略全体を被覆するように固着されている。
【００２１】
また、各側面部５の外面には貫通孔５ａの周囲に溝部１５が形成され、該溝部１５の溝底１５ａの略中心に貫通孔５ａが配置され、溝部１５内に外側防振ゴム１０が配置されている。この外側防振ゴム１０は、溝底１５ａに接着などの手段により固着され、前記各孔３ｂ，５ａ，９ａに連通する孔部１０ａが形成されている。
【００２２】
ここでは前記各孔５ａ，９ａ，１０ａ内には、略円筒状のスペーサ（支柱）が装着されている。このスペーサ１３の軸方向の長さは両防振ゴム９，１０の厚さの合計よりも短く設定されている。このスペーサ１３内に固定ねじ１２の軸部１２ｂが着脱自在に挿通され、該軸部１２ｂをねじ孔３ｂに締結することで前記トレイ４にＨＤＤ３を取り付けられている。
【００２３】
この構造によれば、固定ねじ１２の軸部１２ｂがねじ孔３ｂに螺入するため、頭部１２ａが外側防振ゴム１０を矢印Ｒ方向に押し込み、両防振ゴム９，１０を弾性変形させてＨＤＤ３が取り付けられている。
【００２４】
このとき固定ねじ１２の軸部１２ｂがスペーサ１３内に挿通されているため、頭部１２ａの押込量はスペーサ１３の軸方向の長さに制限される。したがって、スペーサ１３によって前記締結時の両防振ゴム９．１０の変形量（潰れ量）が規制される。この意味でスペーサ１３の軸方向の長さは、ＨＤＤ３の取付強度と両防振ゴム９，１０の防振効果とを考慮して定めることが好ましい。なお、固定ねじ１２の軸部１２ｂの長さはスペーサ１３の軸法の長さとねじ孔３ｂの深さとの合計と略同等に設定される。
【００２５】
その結果、ＨＤＤ３の取付強度を低下させることなく、ＨＤＤ３の外部からの振動による共振を抑制する効果が得られる。すなわち、固定ねじ１２の締結時に両防振ゴム９，１０の必要以上の潰れが防止されることから、外部音などの振動が両防振ゴム９，１０の弾性変形で確実に吸収される。
【００２６】
これによりＨＤＤ３の共振が抑制され、ＨＤＤ３の書き込み速度低下などの産業用コントローラの性能低下を抑えることが可能となる。なお、内側防振ゴム９は、接着などの固着手段だけでなく、固定ねじ１２の締結によっても側面部５に固定されるため、その脱落などを防止することもできる。
【００２７】
≪実施例２≫
図４および図５に基づきＨＤＤユニット１の実施例２を説明する。このＨＤＤユニット１のＨＤＤ３には、両防振ゴム９，１０のほかに平面防振ゴム１６，底面防振ゴム１７，前面防振ゴム１８，コネクタ上部防振ゴム１９が接着などの手段で固着されている。
【００２８】
この平面防振ゴム１６と底面防振ゴム１７とは、それぞれＨＤＤ３の平面３ｃと底面３ｄの略全体に固着されている。この各防振ゴム１６，１７は、ＨＤＤ３の機能上において開口の必要な部分（例えばアクチュエータ搭載部位・通気口など）を除き、ＨＤＤ３の平面３ｃと底面３ｄのそれぞれと略同サイズの相似形に形成されている。なお、各防振ゴム１６，１７は、前記開口の必要な部分に応じた箇所に適宜に開口部や切欠部などが施される。
【００２９】
また、前面防振ゴム１８は、ＨＤＤ３の前面３ｅと同サイズの相似形に形成され、矢印Ｓ３に示すように、該前面３ｅの略全体に固着されている。さらにコネクタ上部防振ゴム１９は、ＨＤＤ３のコネクタ上部３ｆと同サイズの相似形に形成され、矢印Ｓ４に示すように、該コネクタ上部３ｆの略全体に固着されている。
【００３０】
この構造によれば、ＨＤＤ３の平面３ｃ，底面３ｄ，前面３ｅ，コネクタ上部３ｆは、それぞれ各防振ゴム１６〜１９により略全体を被覆される。したがって、外部の音などによる振動がＨＤＤ３に伝わろうとしても、防振ゴム９，１０だけでなく、平面防振ゴム１６，底面防振ゴム１７，前面防振ゴム１８，コネクタ上部防振ゴム１９によっても振動が吸収され、共振を抑制する効果が得られる。
【００３１】
≪実施例３≫
以下、ＨＤＤユニット１の実施例３を説明する。このＨＤＤユニット１のＨＤＤ３には、実施例１の両防振ゴム９，１０と実施例２のコネクタ上部防振ゴム１９とが固着されている。
【００３２】
これにより外部の音などによる振動がＨＤＤ３に伝わろうとしても、各防振ゴム９，１０，１９によって振動が吸収され、共振を抑制する効果が得られる。また、実施例２よりもＨＤＤ３を被覆する範囲が狭く、冷却性能を向上させることもできる。
【００３３】
≪試験結果≫
以下、実施例１〜３のＨＤＤユニット１についての防振効果の確認試験を説明する。この確認試験は、実施例１〜３の各ＨＤＤユニット１に対して外部よりブザーにて共振周波数（２．４ｋＨｚ）の近辺における音（外部音）を発生させた場合の書き込み速度の低下頻度を測定した。
【００３４】
なお、前記書き込み速度の低下頻度は、以下に述べる試験により計測する。すなわち、ＨＤＤユニット１に搭載されるＨＤＤ３へ、ある一定量のデータを書き込ませる処理に要する時間（書き込み時間）が、外部音なし時の動作条件における書き込み時間の平均値に後述する余裕を加えた値を閾値として、前記閾値に比べ書き込み時間が上回った場合、書き込み速度低下が発生したとする。ある一定の回数、前記の書き込み処理を繰り返し、前記書き込み速度低下の発生した回数を計測する。前記の書き込み処理を行った全回数に対する前記書き込み速度低下の発生率を、前記書き込み速度の低下頻度とする。前記閾値における余裕として加える値は、外部音なし時の動作条件における書き込み速度の低下頻度が、ある一定の値（例えば０．３〜０．４％程度）となるように設定する。
【００３５】
【表１】
2020042883.tif 000003
【００３６】
表１は、前記確認試験の試験結果を示している。すなわち、実施例１〜３の各ＨＤＤユニット１のＨＤＤ３に約４０００回の書き込みを行わせた場合の書き込み速度低下頻度を示している。ここでは前記確認試験を５回行った際の書き込み速度低下頻度の平均値および標準偏差を示している。
【００３７】
表１中の「ゴム貼付なし」は、防振ゴム９，１０，１６〜１９のすべてが固着されていないＨＤＤ３を前記トレイ４に取り付けたユニットの試験結果を示している。また、「外部の音なし」は前記外部音を発生させなかった場合の試験結果を示し、「外部の音あり」は前記外部音を発生させた場合の試験結果を示している。
【００３８】
この試験結果によれば、実施例１〜３のＨＤＤユニット１は、いずれも「ゴム貼付なし」と比べ、「外部の音あり」の場合の書き込み速度低下頻度の上昇を大幅に抑えることができ、この点で前記各効果が確認された。
【００３９】
なお、本発明は、上記実施形態（実施例１〜３）に限定されるものではなく、各請求項に記載された範囲内で変形して実施することができる。例えば防振ゴム９，１０，１６〜１９のＨＤＤ３への固着パターンは、実施例１〜３の固着パターンには限定されず、他の固着パターンを用いてもよい。
【００４０】
ただし、前記効果を得るためには、少なくとも防振ゴム９，１０がＨＤＤ３に固着されていることを条件とする。したがって、例えば防振ゴム９，１０，１８，１９をＨＤＤ３に固着するパターンを採用してもよい。
【符号の説明】
【００４１】
１…ＨＤＤユニット
２…筺体
３…ＨＤＤ
３ａ…側面
３ｂ…ねじ孔
３ｃ…平面
３ｄ…底面
３ｅ…前面
３ｆ…コネクタ上部
４…ＨＤＤトレイ（トレイ）
５…側面部
５ａ…貫通孔
６…連結部
７…保持板
９…内側防振ゴム
９ａ，１０ａ…孔部
１０…外側防振ゴム
１２…固定ねじ
１２ａ…頭部
１２ｂ…軸部
１３…スペーサ
１５…溝部
１５ａ…溝底
１６…平面防防振ゴム
１７…底面防振ゴム
１８…前面防振ゴム
１９…コネクタ上部防振ゴム
【図１】
2020042883.tif 000004
【図２】
2020042883.tif 000005
【図３】
2020042883.tif 000006
【図４】
2020042883.tif 000007
【図５】
2020042883.tif 000008
【図６】
2020042883.tif 000009